(57)【特許請求の範囲】
【請求項１】
回線網側とファクシミリ送受信を行う回線インターフェースに、半導体データアクセスアレンジメントを備えたファクシミリ装置において、
回線制御用スイッチをオン・オフする制御信号を出力するスイッチ制御部を前記半導体データアクセスアレンジメントに形成したことを特徴とするファクシミリ装置。
【請求項２】
前記半導体データアクセスアレンジメントは、前記スイッチ制御部を有する回線網側回路部と、主制御部側回路部と、前記回線網側回路部と前記主制御部側回路部とを絶縁結合する結合用絶縁部とを備え、
前記スイッチ制御部への指令は、ファクシミリ信号と共用される前記結合用絶縁部の伝送パスを介して前記主制御部側回路部から伝達されることを特徴とする請求項１に記載のファクシミリ装置。
【請求項３】
前記回線制御用のスイッチは、下流機器を切り離すラインオープンスイッチであることを特徴とする請求項１または２に記載のファクシミリ装置。
【請求項４】
前記回線制御用のスイッチは、グランドスタートラインを回線に接続するグランドスタートスイッチであることを特徴とする請求項１または２に記載のファクシミリ装置。
【請求項５】
前記回線制御用のスイッチは、高耐圧の電界効果トランジスタであることを特徴とする請求項１から４の何れか１つに記載のファクシミリ装置。
【請求項６】
前記回線制御用のスイッチは、前記半導体データアクセスアレンジメントの回線網側回路部に設けたことを特徴とする請求項１から５の何れか１つに記載のファクシミリ装置。
【発明の詳細な説明】
【０００１】
【発明の属する技術分野】
回線網側とファクシミリ送受信を行う回線インターフェースに、半導体データアクセスアレンジメントを備えたファクシミリ装置に関する。
【０００２】
【従来の技術】
図５に示すファクシミリ装置の回線インターフェースでは、ＣＭＬリレー５１により、ファクシミリ通信モードと電話通話モードとの切り替えが行われる。電話通話モードでは、回線端子Ｌ１，Ｌ２はＣＭＬリレー５１を介して電話端子Ｔ１，Ｔ２に接続される。なお、呼出信号は、リンギング検出回路５２で検出され、リンギング検出回路５２からは、図示しないスピーカやＬＥＤを動作させるためのリンギング検出信号が出力される。フック検出回路５３は、回線電流を検出し、ファクシミリオフフック、電話機オフフックを検出し検出信号を図示しないファクシミリ装置の主制御回路に出力することができる。
【０００３】
ファクシミリ通信モードでは、回線端子Ｌ１，Ｌ２は、ＣＭＬリレー５１を介して入力ブリッジ５４に接続される。入力ブリッジ５４は、フックスイッチ５５を介して絶縁用機器としてのトランス５６に接続されており、トランス５６は、ハイブリッド回路５７に接続されている。さらに、ハイブリッド回路５７は、入出力アンプ５８を介してＣＯＤＥＣ５９からモデム６０に接続されている。グランドスタートスイッチ６１は、ファクシミリ装置が構内回線に接続されている場合に外線発信を可能とするために設けられたもので、回線の一方の端子をグランドスタートＧＳ１、ＧＳ２端子にショートさせ、それを構内交換機に伝えることにより外線発信を可能とする。
【０００４】
【発明が解決しようとする課題】
しかしながら、図５のファクシミリ装置の回線インターフェース回路では、絶縁用機器としてトランスを用いているため、回路が大きくなり、部品コストも高くなる。この不都合を解消するために、データ通信に用いられるトランスレスのデータアクセスアレンジメント（ＤＡＡ：Ｄａｔａ  Ａｃｃｅｓｓ  Ａｒｒａｎｇｅｍｅｎｔ）を採用することが考えられる。
【０００５】
図６にＤＡＡを搭載するときに想定できる回線インターフェース回路を示す。図６において、ＤＡＡ７１は、回線網側回路部７１１と結合用絶縁部７１２と主制御部側回路部７１３とから構成されている。回線網側回路部７１１と主制御部側回路部７１３は、結合用絶縁部７１２を介して信号のやり取りが行われる。回線網側回路部７１１は、絶縁インターフェース７１１１、リンギング検出回路７１１２、ハイブリッド回路７１１３、電流センサー７１１１４、アンプ７１１５、ＣＯＤＥＣ７１１６から構成されている。また、主制御回路部７１３は、絶縁インターフェース７１３１、送受信インターフェース７１３２、制御インターフェース７１３３とから構成されている。
【０００６】
このＤＡＡ７１を用いてファクシミリ装置の回線インターフェース回路を構成するため、モデム７７を送受信インターフェース７１３２に接続する。また、リンギング検出回路７１１２からの検出信号（リンギング検出信号）および電流センサ７１１４からのフック検出信号を制御インターフェース７１３３からファクシミリ装置の図示しない主制御部側回路部７１３に送出する一方、フックスイッチ制御信号を制御インターフェース７１３３に入力している。
【０００７】
回線端子Ｌ１，Ｌ２は、ラインオープンスイッチ７２を介して電話機端子Ｔ１，Ｔ２に接続する。また、回線端子Ｌ１，Ｌ２は、回線網側回路部７１１内のリンギング検出回路７１１２に接続するとともに、ダイオードブリッジ７３の２個の入力端子側に接続する。ダイオードブリッジ７３の２個の出力端子側は、電流センサー７１１４と、フックスイッチ７４を介してハイブリッド回路７１１３に接続している。フックスイッチ７４を開閉するためのフックスイッチ制御信号は、絶縁インターフェース７１１１からフックスイッチ７４に加えるようにしている。
【０００８】
ところで、図６に示したファクシミリ装置では、電話装置とファクシミリ装置とを切り替えるためのラインオープンスイッチ７２や、ファクシミリ装置が構内回線に接続されている場合の外線発信を可能とするためのグランドスタートスイッチ７６の制御信号をＤＡＡ７１から取り出すような端子は設けられていない。このため、ファクシミリ装置からフォトカプラ７８や図示しないコンデンサ絶縁回路を介してラインオープンスイッチ７２やグランドスタートスイッチ７６に出力する必要がある。この結果、絶縁回路が別に必要となって装置スペースが増す上、コストアップするという問題がある。
【０００９】
本発明の目的は、回線インターフェースを小型、経済的に構成することができる半導体ＤＡＡを備えたファクシミリ装置を提供することにある。
【００１０】
【課題を解決するための手段】
本発明のファクシミリ装置は、回線網側とファクシミリ送受信を行う回線インターフェースに、半導体ＤＡＡを備えたもので、回線制御用スイッチをオン・オフする信号を出力するスイッチ制御部を、前記半導体ＤＡＡに形成したことを特徴とする。
【００１１】
本発明によれば、回線制御用のスイッチについて、それらの制御を行うスイッチ制御信号の経路中に、フォトカプラやコンデンサ絶縁回路を用いる必要がない。したがって回線インターフェースを小型化することができる。
【００１２】
回線制御用のスイッチは、具体的には、電話機等の下流機器を切り離すラインオープンスイッチ、外線発信等に使用されるグランドスタートスイッチであり、これらスイッチとして高耐圧の電界効果トランジスタを使用することができる。
【００１３】
本発明のファクシミリ装置では、前記半導体ＤＡＡは、前記スイッチ制御部を有する回線網側回路部と、主制御部側回路部と、前記回線網側回路部と前記主制御部側回路部とを絶縁結合する結合用絶縁部とを備えることができ、前記スイッチ制御部への指令は、ファクシミリ信号と共用される前記結合用絶縁部の伝送パスを介して前記主制御部側回路部から伝達されるように構成できる。
【００１４】
前記回線制御用のスイッチは、前記半導体ＤＡＡの回線網側回路部に設けたることができる。これにより、回線インターフェースを小型化することができる。
【００１５】
【発明の実施の形態】
図１は本発明のファクシミリ装置の一実施形態を示す機能ブロック図である。図１において、ファクシミリ装置１は、主制御部１０と、回線インターフェース（Ｉ／Ｆ）１１と、モデム１２と、システムメモリ１３（ＲＯＭ１３１とＲＡＭ１３２とを含む）と、画情報メモリ１４と、符号化／復号化部１５と、読取部１６と、記録部１７と、操作部１８１および表示部１８２とからなる操作表示部１８とからなる。
【００１６】
主制御部１０は、各種制御プログラムが記憶されたＲＯＭ１３１に従って、ファクシミリ装置１全体の制御を行う。回線インターフェース１１の制御も主制御部１０により行われる。ＲＡＭ１３２には、必要なデータの格納領域およびファクシミリ装置１全体の制御を行うときの作業領域が確保される。画情報メモリ１４は、受信画情報や送信画情報を蓄積する。符号化／復号化部１５は、ＭＨ・ＭＲ・ＭＭＲ符号化方式等の所定の符号化方式で送信画情報を圧縮する一方、受信画情報を伸張する。読取部１６は、送信画像をその線密度に応じて画像データに変換する。記録部７では、受信画情報を３．８５本／ｍｍ，７．７本／ｍｍ，等の所定の線密度に応じて用紙に印字出力する。
【００１７】
操作表示部１８の操作部１８１は、ダイヤルキーとしてのテンキー、各動作合図としてのスタート／ストップキー、各種ファンクションキー等からなり、各キーからの情報は、液晶／ＬＥＤ等の表示器を含む表示部１８２に確認等のために表示される。
【００１８】
モデム１２は、回線インターフェース１１を介して回線網１００から送受信するデータを変復調する。
【００１９】
回線インターフェース１１は、主制御部１０より発呼の際に所定の回線網１００の制御、主として各種スイッチの制御が行われる。また、外付け電話機、留守番電話機、ＴＡＭ（Ｔｅｌｅｐｈｏｎ  Ａｎｓｗｅｒｉｎｇ  Ｍａｃｈｉｎｅ）等の下流機器２００が接続される。
【００２０】
図２は、本発明の特徴的な部分である、回線インターフェース１１の詳細を示す図である。図２において、回線インターフェース１１は、ＤＡＡ２１、ダイオードブリッジ２３、複数のスイッチ（２４〜２６）を含む。
【００２１】
ＤＡＡ２１は、回線網側回路部２１１と結合用絶縁部２１２と主制御部側回路部２１３とからなる。回線網側回路部２１１や主制御部側回路部２１３は、それぞれワンチップとして作成することができる。
【００２２】
回線網側回路部２１１は、絶縁インターフェース２１１１と、リンギング回路２１１２と、ハイブリッド回路２１１３と、電流センサ（フック検出回路）２１１４と、バッファ回路２１１５と、Ａ／Ｄ変換，Ｄ／Ａ変換を行うＣＯＤＥＣ２１１６とを含む。また、主制御部側回路部２１３は、絶縁インターフェース２１３１と、送受信インターフェース２１３２と、制御インターフェース２１３３とを含む。また、結合用絶縁部２１２は、シリアルのデジタル伝送経路を構成するもので、高絶縁コンデンサ２１２１からなる。回線網側回路部２１１と主制御部側回路部２１３との信号のやり取りは、結合用絶縁部２１２を介して行われる。図２では、結合用絶縁部２１２は、１つの高絶縁コンデンサ２１２１からなるが、たとえば送信用コンデンサと受信用コンデンサの２つにより構成する等、複数のコンデンサにより構成することもできる。なお、絶縁インターフェース２１１１、２１３２は、たとえば入力されるビットストリームから、データ開始やデータ終了を意味する特定パターンのビット列を検出することで、送受信されるデータが画像データであるか制御用データであるかを認識することができる。
【００２３】
回線端子Ｌ１，Ｌ２は、ラインオープンスイッチ２５を介して下流機器端子Ｔ１，Ｔ２に接続されている。ラインオープンスイッチ２５は、待機時はＯＮされ下流機器２００に接続され、ファクシミリ通信時にはＯＦＦされ、下流機器２００側からのノイズ等を遮断している。
【００２４】
回線端子Ｌ１，Ｌ２は、回線網側回路部２１１内のリンギング検出回路２１１２に接続されるとともに、ダイオードブリッジ２３およびフックスイッチ２４を介して、回線網側回路部２１１内のハイブリッド回路２１１３に接続されている。ダイオードブリッジ２３は、回線網１００の直流ループ電流の極性を一方向に整流する。また、フックスイッチ２４は、ＯＮすることによりモデム１２をオフフック状態にするもので、ここではスイッチ素子に高耐圧ＭＯＳＦＥＴが使用されている。
【００２５】
ダイオードブリッジ２３とハイブリッド回路２１１３との間には電流センサ（フック検出回路）２１１４が設けられている。ハイブリッド回路２１１３は、バッファ回路２１１５を介してＣＯＤＥＣ２１１６に接続され、ＣＯＤＥＣ２１１６は絶縁インターフェース２１１１に接続されている。
【００２６】
ＣＯＤＥＣ２１１６は、主制御部側回路部２１３に設けることもできるが、本実施形態では、上述したように回線網側回路部２１１に設けてある。これにより、主制御部側回路部２１３はアナログ信号を扱わないようにできる。
【００２７】
絶縁インターフェース２１１１は、フックスイッチ２４に制御信号を出力し、電流センサ１１１４からフック検出信号を入力する。また、絶縁インターフェース２１１１には、本発明において特徴的な構成要素であるスイッチ制御部２１１７が内蔵されている。
【００２８】
制御インターフェース２１３３は、リンギング検出回路２１１２からの検出信号（リンギング検出信号ａ）および電流センサ２１１４からのフック検出信号ｂを、ファクシミリ装置１の主制御部１０（図１参照）に送出する。また、制御インターフェース２１３３は、フックスイッチ制御信号ｃ、ラインオープンスイッチ制御信号ｄ、グランドスタートスイッチ制御信号ｅを主制御部１０から入力する。
【００２９】
グランドスタートスイッチ２６は、ファクシミリをグランドスタートさせることができるもので、ヨーロッパの一部の国で、内線交換機に外線アクセスを知らせる手段として使用されている。ダイヤルパルスやＤＴＭＦ信号の相手先識別番号を発呼する直前に、回線端子Ｌ１，Ｌ２の一方（ここではＬ２）を一定期間ショート（グランドスタートスイッチをＯＮ）させることで、外線発信であることを、図示しない交換機等に知らせることができる。
【００３０】
以下、図２の回線インターフェース１１の動作を説明する。
回線網側制御回路２１１は、電源の供給を回線から受け、ダイオードブリッジ２３により極性に関わりなく動作する。電流センサ２１１４はＦＡＸ通信が開始すると、回線網側制御回路２１１に直流ループ電流が流れ、オフフックか否かを判断できる。リンギング検出回路２１１２は、回線網１００からリンギング信号を受信すると、当該信号と同一サイクルで、Ｈ，Ｌのリンギング検出信号ａを、ハイブリッド回路２１１３，ＣＯＤＥＣ２１１６，絶縁インターフェース２１１１，結合用絶縁部２１２のコンデンサ２１２１，絶縁インターフェース２１３１，制御インターフェース２１３３を介して、主制御部１０（図１参照）に出力する。ＣＯＤＥＣ２１１６に設けられた終端回路Ｚは、回路網１００のインピーダンスを決定する抵抗等からなる回路であり、その構成は各国の通信規格により異なる。ハイブリッド回路２１１３は、回路網１００からのＦＡＸ信号、回路網１００へのＦＡＸ信号を送信／受信信号に分離する２線−４線変換回路、送信信号の受信経路への回り込みを制御するキャンセラー回路、フィルタ回路等からなる。バッファ回路２１１５は、送信アンプ（Ｔｘで示す）および受信アンプ（Ｒｘで示す）からなり、送受信信号のゲイン調整を行う。ＣＯＤＥＣ２１１６は、ＦＡＸ送信信号のＡ／Ｄ変換およびＦＡＸ受信信号のＤ／Ａ変換を行う。絶縁インターフェース２１１１は、電流センサ２１１４からのフック検出信号、リンギング検出回路回路２１１２からのリンギング検出信号、およびＣＯＤＥＣ２１１６からのＦＡＸ受信信号を、シリアル信号に変換して、結合用絶縁部２１２のコンデンサ２１２１、絶縁インターフェース２１３１を介して、送受信インターフェース２１３２に出力する。
【００３１】
また、絶縁インターフェース２１１１は、フックスイッチ２４へのフックスイッチ制御信号ｃ、ラインオープンスイッチ２５へのラインオープンスイッチ制御信号ｄ、グランドスタートスイッチ２６へのグランドスタートスイッチ制御信号ｅ、ＣＯＤＥＣ２１１６へのＦＡＸ送信信号に対して、結合用絶縁部２１２のコンデンサ２１２１からのシリアル信号をそれぞれに分離する。
【００３２】
図２のＤＡＡ２１では、絶縁インターフェース２１１１にスイッチ制御部２１１７が組み込まれており、スイッチ制御部２１１７が、フックスイッチ制御信号ｃ、ラインオープンスイッチ制御信号ｄおよびグランドスタートスイッチ制御信号ｅの制御を行っている。
【００３３】
主制御部側回路部２１３は、電源供給をファクシミリ装置１の本体側から受ける。絶縁インターフェース２１２１は、回路網側回路部２１１の絶縁インターフェース２１１１とは逆の機能を奏し、バッファ回路２１１５へのＦＡＸ受信信号、制御インターフェース２１３３への各検出信号に対して、結合用絶縁部２１２のコンデンサ２１２１からのシリアル信号をそれぞれに分離する一方、バッファ回路２１１５からのＦＡＸ受信信号、制御インターフェース２１３３からの各制御信号を、シリアル信号に変換して、結合用絶縁部２１２のコンデンサ２１２１を介して、絶縁インターフェース２１１１に送出する。
【００３４】
ファクシミリ通信が開始するときは、図１の主制御部１０は、フックスイッチ制御信号ｃにより、制御インターフェース１１３３、絶縁インターフェース２１３１、結合用絶縁部２１２の高絶縁コンデンサ２１２１、絶縁インターフェース２１１１を介してフックスイッチ１４をＯＮにする。このフックスイッチ１４は、一定間隔でＯＮ／ＯＦＦ制御されることで、ダイヤルパルスの送出にも用いられる。ラインオープンスイッチ１２は、待機時にはＯＮ状態とされ、下流機器２００側（Ｔ２側）に接続されている。ファクシミリ通信が始まると、主制御部１０は、下流機器２００側からの影響・ノイズを遮断するために、ラインオープン制御信号をＯＦＦにして下流機器２００を切り離す。すなわち、主制御部１０（図１参照）は、制御インターフェース２１３３、絶縁インターフェース２１３１、結合用絶縁部２１２の高絶縁コンデンサ２１２１、絶縁インターフェース２１１１内のスイッチ制御部２１１７を介してラインオープンスイッチ２５をＯＮにする。また、図１の主制御部１０は、制御インターフェース２１３３、絶縁インターフェース２１３１、結合用絶縁部２１２の高絶縁コンデンサ２１２１、絶縁インターフェース２１１１内のスイッチ制御部２１１７を介してグランドスタートスイッチ制御信号ｅによりグランドスタートスイッチ２６をＯＮする。
【００３５】
図３は、ＤＡＡ２１を使用したときの、ラインオープンスイッチ制御信号ｄおよびグランドスタートスイッチ制御信号ｅによって各スイッチ２５、２６がオン・オフ制御される様子を示す図である。
【００３６】
図４は、ラインオープンスイッチ２５′およびグランドスタートスイッチ２６′が組み込まれたＤＡＡ２１′を示す図である。図示のようにＤＡＡ２１′の回線網側回路部２１１′内に半導体スイッチを形成すれば、回線インターフェース１１の大きさをさらに小さくすることができる。
【００３７】
【発明の効果】
本発明のファクシミリ装置では、回線インターフェースの回線制御用のスイッチの制御回路を半導体ＤＡＡに内蔵している。したがって、スイッチの制御信号の経路中にフォトカプラやコンデンサ絶縁回路を用いる必要がないので、回路小型化することができる。
【００３８】
さらに、本発明のファクシミリ装置では、ＤＡＡの回線網側回路部内に、回線制御用のスイッチを内蔵することができるので、回線インターフェースを更に小型化することができる。
【図面の簡単な説明】
【図１】本発明のファクシミリ装置の一実施形態を示す機能ブロック図である。
【図２】図１のファクシミリ装置の回線インターフェースの詳細を示す図である。
【図３】図２におけるラインオープンスイッチ制御信号およびグランドスタートスイッチ制御信号の各スイッチ信号の流れを示す図である。
【図４】ラインオープンスイッチおよびグランドスタートスイッチが組み込まれたＤＡＡを示す図である。図４ではＤＡＡの回線網側回路部内にスイッチが内蔵されているので、回線インターフェースの大きさをさらに小さくすることができる。
【図５】従来のファクシミリ装置の回線インターフェースを示す図である。
【図６】ＤＡＡを搭載するときに想定できる回線インターフェースを示す図である。
【符号の説明】
１  ファクシミリ装置
１０  主制御部
１１  回線インターフェース（Ｉ／Ｆ）
１２  モデム
１３  システムメモリ
１４  画情報メモリ
１５  符号化／復号化部
１６  読取部
１７  記録部
１８  操作表示部
２１  ＤＡＡ
２３  ダイオードブリッジ
２４〜２６  スイッチ
１３１  ＲＯＭ
１３２  ＲＡＭ
１８１  操作部
１８２  表示部
２１１  回線網側回路部
２１２  結合用絶縁部
２１３  主制御部側回路部
２１１１  絶縁インターフェース
２１１２  リンギング回路
２１１３  ハイブリッド回路
２１１４  電流センサ
２１１５  バッファ回路
２１１６  ＣＯＤＥＣ
２１２１  高絶縁コンデンサ
２１３１  絶縁インターフェース
２１３２  送受信インターフェース
２１３３  制御インターフェース
【図１】
0003771173.tif 000002
【図２】
0003771173.tif 000003
【図３】
0003771173.tif 000004
【図４】
0003771173.tif 000005
【図５】
0003771173.tif 000006
【図６】
0003771173.tif 000007